(57)【要約】    【課題】  高ズーム比で全ズーム範囲にわたり良好な光学特性と良好なフォーカシング性能が容易に得られる小型のズームレンズを得ること。    【解決手段】  物体側より像側へ順に配置された、正の屈折力の第１レンズ群、負の屈折力の第２レンズ群、複数のレンズ群を含む後群を有し、ズーミングに際して隣り合うレンズ群の間隔が変化するズームレンズであって、後群は、最も像側に配置された負の屈折力のレンズ群Ｒｉｍｇを有し、ズームレンズは、第２レンズ群と後群の間又は後群の最も物体側のレンズ群に配置された開口絞りを有し、ズーミングに際して開口絞りは移動し、広角端から望遠端へのズーミングに際して開口絞りとレンズ群Ｒｉｍｇの間隔が広がり、広角端における全系の焦点距離ｆｗ、広角端におけるレンズ全長Ｌｗ、望遠端における開口絞りと像面との距離Ｓｂ、レンズ群Ｒｉｍｇの焦点距離ｆｒを各々適切に設定すること。【選択図】    図１
2019133054.tif 000002
【特許請求の範囲】
【請求項１】
物体側より像側へ順に配置された、正の屈折力の第１レンズ群、負の屈折力の第２レンズ群、複数のレンズ群を含む後群を有し、ズーミングに際して隣り合うレンズ群の間隔が変化するズームレンズであって、
前記後群は、最も像側に配置された負の屈折力のレンズ群Ｒｉｍｇを有し、
前記ズームレンズは、前記第２レンズ群と前記後群の間又は前記後群の最も物体側のレンズ群に配置された開口絞りを有し、
ズーミングに際して前記開口絞りは移動し、広角端から望遠端へのズーミングに際して前記開口絞りと前記レンズ群Ｒｉｍｇの間隔が広がり、
広角端における全系の焦点距離をｆｗ、広角端におけるレンズ全長をＬｗ、望遠端における前記開口絞りと像面との距離をＳｂ、前記レンズ群Ｒｉｍｇの焦点距離をｆｒとするとき、
０．４＜Ｓｂ／Ｌｗ＜３．０
−１００．０＜ｆｒ／ｆｗ＜−２．０
なる条件式を満足することを特徴とするズームレンズ。
【請求項２】
広角端から望遠端へのズーミングにおける前記開口絞りの移動量をＭｓｐとし、移動量の符号は広角端に比べて望遠端において前記開口絞りが像側に位置するときを正、物体側に位置するときを負とするとき、
０．６＜Ｍｓｐ／ｆｗ＜１０．０
なる条件式を満足することを特徴とする請求項１に記載のズームレンズ。
【請求項３】
望遠端における前記後群の焦点距離をｆｒｇとするとき、
１．０＜ｆｒｇ／ｆｗ＜１０．０
なる条件式を満足することを特徴とする請求項１又は２に記載のズームレンズ。
【請求項４】
望遠端において、前記開口絞りと前記レンズ群Ｒｉｍｇの最も物体側のレンズ面との間に配置された複数のレンズの合成焦点距離をｆｍｇとするとき、
１．０＜ｆｍｇ／ｆｗ＜１０．０
なる条件式を満足することを特徴とする請求項１乃至３のいずれか１項に記載のズームレンズ。
【請求項５】
前記第１レンズ群の焦点距離をｆ１とするとき、
３．０＜ｆ１／ｆｗ＜１５．０
なる条件式を満足することを特徴とする請求項１乃至４のいずれか１項に記載のズームレンズ。
【請求項６】
前記第２レンズ群の焦点距離をｆ２とするとき、
−２．０＜ｆ２／ｆｗ＜−０．５
なる条件式を満足することを特徴とする請求項１乃至５のいずれか１項に記載のズームレンズ。
【請求項７】
前記後群に含まれる正の屈折力のレンズ群のうち、最も像側に配置された正の屈折力のレンズ群Ｐｒ１の焦点距離をｆｐｒ１とするとき、
０．８＜ｆｐｒ１／ｆｗ＜５．０
なる条件式を満足することを特徴とする請求項１乃至６のいずれか１項に記載のズームレンズ。
【請求項８】
前記後群は２以上の正の屈折力のレンズ群を有し、前記レンズ群Ｐｒ１より物体側に配置された正の屈折力のレンズ群Ｐｒ２の焦点距離をｆｐｒ２とするとき、
０．８＜ｆｐｒ２／ｆｗ＜６．０
なる条件式を満足することを特徴とする請求項７に記載のズームレンズ。
【請求項９】
無限遠から近距離へのフォーカシングに際して前記第２レンズ群は物体側へ移動することを特徴とする請求項１乃至８のいずれか１項に記載のズームレンズ。
【請求項１０】
前記後群は、物体側から像側へ順に配置された、正の屈折力の第３レンズ群、正の屈折力の第４レンズ群、負の屈折力の第５レンズ群からなることを特徴とする請求項１乃至９のいずれか１項に記載のズームレンズ。
【請求項１１】
前記開口絞りは第３レンズ群に含まれ、かつ前記第３レンズ群の最も物体側のレンズよりも像側に配置されることを特徴とする請求項１０に記載のズームレンズ。
【請求項１２】
前記開口絞りは第３レンズ群に含まれ、かつ前記第２レンズ群と前記第３レンズ群の最も物体側のレンズとの間に配置されることを特徴とする請求項１０に記載のズームレンズ。
【請求項１３】
前記開口絞りは前記第２レンズ群と前記第３レンズ群との間に配置されることを特徴とする請求項１０に記載のズームレンズ。
【請求項１４】
前記後群は、物体側から像側へ順に配置された、正の屈折力の第３レンズ群、負の屈折力の第４レンズ群、正の屈折力の第５レンズ群、負の屈折力の第６レンズ群からなることを特徴とする請求項１乃至９のいずれか１項に記載のズームレンズ。
【請求項１５】
前記開口絞りは前記第３レンズ群に含まれ、かつ前記第２レンズ群と前記第３レンズ群の最も物体側のレンズとの間に配置されることを特徴とする請求項１４に記載のズームレンズ。
【請求項１６】
請求項１乃至１５のいずれか１項に記載のズームレンズと、該ズームレンズによって形成された像を受光する撮像素子を有することを特徴とする撮像装置。
【発明の詳細な説明】
【技術分野】
【０００１】
本発明は、ズームレンズに関し、特にデジタルスチルカメラ、デジタルビデオカメラ等の電子写真カメラ、監視カメラ、放送用カメラなどの撮像装置の撮像光学系として好適なものである。
【背景技術】
【０００２】
近年、撮像装置に用いる撮像光学系としては、高ズーム比（高変倍比）で全ズーム範囲にわたり高い光学性能を有し、レンズ全長の短い小型のズームレンズであることが要求されている。
【０００３】
これらの要求を満足するズームレンズとして、物体側より像側へ順に正の屈折力の第１レンズ群、負の屈折力の第２レンズ群、複数のレンズ群を含む後群より構成されるポジティブリード型のズームレンズが知られている（特許文献１乃至６）。
【０００４】
特許文献１では物体側より順に正、負、正、負、正の屈折力の第１レンズ群乃至第５レンズ群を有するズームレンズが開示されている。また、従来からオートフォーカス（自動合焦）の方式として、位相差ＡＦ方式やコントラストＡＦ方式が知られている。例えば、特許文献２では撮影光束の一部を使用し、焦点位置を検出する位相差AF方式が開示されている。また特許文献３では同一ピクセルに入る撮影光束を分割し焦点位置を検出する撮像面位相差AF方式が開示されている。
【０００５】
特許文献４、５は、物体側から像側へ順に、正、負、正、正、負の屈折力の第１レンズ群乃至第５レンズ群よりなり、各レンズ群を移動させてズーミングを行い、小型の第４レンズ群でフォーカシングを行うズームレンズを開示している。特許文献６は、物体側より像側へ順に正、負、正、負、正、負の屈折力の第１レンズ群乃至第６レンズ群より成り、各レンズ群を移動させてズーミングを行い、第６レンズ群を移動させてフォーカシングを行うズームレンズを開示している。
【先行技術文献】
【特許文献】
【０００６】
【特許文献１】特開２０１４−２１９４７９号公報
【特許文献２】特開昭６１−１８９１２号公報
【特許文献３】特開２０１３−２１８２１４号公報
【特許文献４】特開２０１５−０６４４９１号公報
【特許文献５】特開２０１５−０６９０４０号公報
【特許文献６】特開平０４−１８６２１２号公報
【発明の概要】
【発明が解決しようとする課題】
【０００７】
撮像装置に用いられるズームレンズには小型、高変倍、高性能かつ全ズーム域に渡り高精度にフォーカシングができることが要望されている。
【０００８】
全系の小型化を図りつつ、高変倍化するには、ズームレンズ内の各レンズ群の屈折力を強めてズーミングに際する移動量を減らし、移動に必要なメカ部材のスペースを削減する方法がある。上述の特許文献１に開示されたズームレンズは各レンズ群の屈折力を強めて、移動量を減らしズームレンズ全系の小型化を図っている。この方法の場合、レンズの全長も有効径も小型化することが容易となる。しかし、各レンズ群の屈折力を強めると、各レンズ群の持つ位置誤差敏感度が大きくなり、組立て性が低下する。
【０００９】
また、小型化と高ズーム比化を両立させるためには、ズームレンズ内の各レンズ群の屈折力を弱くして総厚を薄くして、最短状態のレンズ全長を短くし、変倍は各レンズ群の移動量を大きくして達成する方法がある。この方法の場合、レンズ全長の小型化が容易となる。しかし、各レンズ群の移動量、特に開口絞りの移動量が増えると、レンズの射出瞳の変動が大きくなるという課題があった。
【００１０】
ポジティブリード型のズームレンズにおいて、全系が小型で、高ズーム比で全ズーム範囲で高い光学性能を得る為には、各レンズ群の屈折力、レンズ構成、開口絞りの位置などを適切に設定することが重要となってくる。特に全系の小型化を図るには、開口絞りの位置やズーミングに際して開口絞りの移動量等を適切に設定することが重要になってくる。
【００１１】
例えば、全系の小型化を図りつつ、高ズーム比化を図るには、ズームレンズ内の各レンズ群の屈折力を強めてズーミングに際しての各レンズ群の移動量を減らし、移動に必要なメカ部材のスペースを削減すれば良い。
【００１２】
しかしながら、各レンズ群の屈折力を強めると、各レンズ群の持つ位置誤差敏感度が大きくなり、組立て性が低下してくる。
【００１３】
また、各レンズ群の屈折力を強めることなく全系の小型化と高ズーム比化を図るためには、ズームレンズ内の各レンズ群の屈折力を弱くしてレンズ群総厚を薄くして、最短状態のレンズ全長を短くし、ズーミングに際して各レンズ群の移動量を大きくすれば良い。しかしながら、各レンズ群の移動量や、ズーミングに際しての開口絞りの移動量が増えると、レンズ全長が増大するとともにレンズ系の射出瞳位置の変動が大きくなり、ズーミングに際してＡＦ性能が低下する。
【００１４】
本発明は、高ズーム比で全ズーム範囲にわたり良好な光学特性とフォーカシング性能が容易に得られる小型のズームレンズ及びそれを有する撮像装置の提供を目的とする。
【課題を解決するための手段】
【００１５】
本発明のズームレンズは、物体側より像側へ順に配置された、正の屈折力の第１レンズ群、負の屈折力の第２レンズ群、複数のレンズ群を含む後群を有し、ズーミングに際して隣り合うレンズ群の間隔が変化するズームレンズであって、
前記後群は、最も像側に配置された負の屈折力のレンズ群Ｒｉｍｇを有し、
前記ズームレンズは、前記第２レンズ群と前記後群の間又は前記後群の最も物体側のレンズ群に配置された開口絞りを有し、
ズーミングに際して前記開口絞りは移動し、広角端から望遠端へのズーミングに際して前記開口絞りと前記レンズ群Ｒｉｍｇの間隔が広がり、
広角端における全系の焦点距離をｆｗ、広角端におけるレンズ全長をＬｗ、望遠端における前記開口絞りと像面との距離をＳｂ、前記レンズ群Ｒｉｍｇの焦点距離をｆｒとするとき、
０．４＜Ｓｂ／Ｌｗ＜３．０
−１００．０＜ｆｒ／ｆｗ＜−２．０
なる条件式を満足することを特徴としている。
【発明の効果】
【００１６】
本発明によれば、高ズーム比で全ズーム範囲にわたり良好な光学特性とフォーカシング性能が容易に得られる小型のズームレンズが得られる。
【図面の簡単な説明】
【００１７】
【図１】実施例１のズームレンズの広角端におけるレンズ断面図
【図２】実施例１のズームレンズの縦収差図
【図３】実施例２のズームレンズの広角端におけるレンズ断面図
【図４】実施例２のズームレンズの縦収差図
【図５】実施例３のズームレンズの広角端におけるレンズ断面図
【図６】実施例３のズームレンズの縦収差図
【図７】実施例４のズームレンズの広角端におけるレンズ断面図
【図８】実施例４のズームレンズの縦収差図
【図９】実施例５のズームレンズの広角端におけるレンズ断面図
【図１０】実施例５のズームレンズの縦収差図
【図１１】実施例６のズームレンズの広角端におけるレンズ断面図
【図１２】実施例６のズームレンズの縦収差図
【図１３】実施例７のズームレンズの広角端におけるレンズ断面図
【図１４】実施例７のズームレンズの縦収差図
【図１５】本発明の撮像装置の構成を示す図
【発明を実施するための形態】
【００１８】
以下、本発明のズームレンズ及びそれを有する撮像装置について説明する。本発明のズームレンズは、物体側より像側へ順に配置された、正の屈折力の第１レンズ群、負の屈折力の第２レンズ群、開口絞り、複数のレンズ群を含む後群を有し、ズーミングに際して隣り合うレンズ群の間隔が変化する。後群に含まれる複数のレンズ群のうち、最も像側には負の屈折力のレンズ群Ｒｉｍｇが配置されている。ズーミングに際して開口絞りは移動する。
【００１９】
図１は本発明の実施例１のズームレンズの広角端（短焦点距離端）におけるレンズ断面図である。図２（Ａ）、（Ｂ）は本発明の実施例１の無限遠に合焦しているときの広角端、望遠端（長焦点距離端）における縦収差図である。実施例１はズーム比１５．９、Ｆナンバー３．２０〜６．３０のズームレンズである。
【００２０】
図３は本発明の実施例２のズームレンズの広角端におけるレンズ断面図である。図４（Ａ）、（Ｂ）は本発明の実施例３の無限遠に合焦しているときの広角端、望遠端における縦収差図である。実施例２はズーム比１５．９、Ｆナンバー３．２５〜６．３０のズームレンズである。
【００２１】
図５は本発明の実施例３のズームレンズの広角端におけるレンズ断面図である。図６（Ａ）、（Ｂ）は本発明の実施例３の無限遠に合焦しているときの広角端、望遠端における縦収差図である。実施例３はズーム比１８．３、Ｆナンバー３．０８〜６．３０のズームレンズである。
【００２２】
図７は本発明の実施例４のズームレンズの広角端におけるレンズ断面図である。図８（Ａ）、（Ｂ）は本発明の実施例４の無限遠に合焦しているときの広角端、望遠端における縦収差図である。実施例４はズーム比１５．９、Ｆナンバー３．３３〜６．２５のズームレンズである。
【００２３】
図９は本発明の実施例５のズームレンズの広角端におけるレンズ断面図である。図１０（Ａ）、（Ｂ）は本発明の実施例５の無限遠に合焦しているときの広角端、望遠端における縦収差図である。実施例５はズーム比１９．２、Ｆナンバー３．１９〜６．３０のズームレンズである。
【００２４】
図１１は本発明の実施例６のズームレンズの広角端におけるレンズ断面図である。図１２（Ａ）、（Ｂ）は本発明の実施例６の無限遠に合焦しているときの広角端、望遠端における縦収差図である。実施例６はズーム比１０．９、Ｆナンバー３．５０〜６．３０のズームレンズである。
【００２５】
図１３は本発明の実施例７のズームレンズの広角端におけるレンズ断面図である。図１４（Ａ）、（Ｂ）は本発明の実施例７の無限遠に合焦しているときの広角端、望遠端における縦収差図である。実施例７はズーム比１５．９、Ｆナンバー３．２１〜６．３０のズームレンズである。図１５は本発明のズームレンズを備える撮像装置の構成を示す図である。
【００２６】
各実施例のズームレンズはデジタルスチルカメラや監視カメラ等の撮像装置に用いられる撮像光学系である。レンズ断面図において、左方が物体側（前方）で、右方が像側（後方）である。尚、各実施例のズームレンズをプロジェクター等の投射レンズとして用いるときは、左方がスクリーン、右方が被投射画像となる。ｉは物体側からのレンズ群の順番を示し、Ｌｉは第ｉレンズ群である。
【００２７】
ズームレンズＯＬは、正の屈折力の第１レンズ群Ｌ１、負の屈折力の第２レンズ群Ｌ２、複数のレンズ群を有する後群ＬＲを有する。後群ＬＲは、最も像側に配置された負の屈折力のレンズ群Ｒｉｍｇを有する。また、開口絞りＳＰは、第２レンズ群Ｌ２と後群ＬＲのうち最も物体側に配置されたレンズ群（第３レンズ群Ｌ３）の間、または、当該レンズ群に配置されている。
【００２８】
ＳＰは開口絞り（Ｆナンバー決定絞り）である。ＩＰは像面であり、ビデオカメラやデジタルスチルカメラの撮像光学系として使用する際にはＣＣＤセンサやＣＭＯＳセンサなどの固体撮像素子（光電変換素子）の撮像面が置かれている。ＯＡは光軸である。矢印は広角端から望遠端へのズーミングにおける各レンズ群の移動軌跡を示している。フォーカスに関する矢印は無限遠から至近距離へのフォーカシングに際してのレンズ群の移動方向を示している。
【００２９】
球面収差図において実線のｄはｄ線（波長５８７．６ｎｍ）、二点鎖線のｇはｇ線（波長４３５．８ｎｍ）、一点鎖線のＣはＣ線（波長６５６．３ｎｍ）、破線のＦはＦ線（波長４８６．１ｎｍ）である。非点収差図において点線のΔＭはｄ線のメリディオナル像面、実線のΔＳはｄ線のサジタル像面である。歪曲はｄ線について示している。倍率色収差はｇ線，Ｆ線，Ｃ線によって表わしている。ωは半画角（度）、ＦｎｏはＦナンバーである。尚、以下の各実施例において広角端と望遠端は変倍用レンズ群が機構上光軸上を移動可能な範囲の両端に位置したときのズーム位置をいう。
【００３０】
各実施例のズームレンズは、ズーミングに際して可動する複数のレンズ群を有している。また物体側より像側へ順に正の屈折力の第１レンズ群Ｌ１、負の屈折力の第２レンズ群Ｌ２を有している。さらに第２レンズ群Ｌ２の像側に、広角端から望遠端のズーミングに際して移動する開口絞りＳｐを有している。最も像側に負の屈折力のレンズ群Ｒｉｍｇを有している。開口絞りＳｐとレンズ群Ｒｉｍｇの光軸上の間隔は広角端から望遠端へのズーミングに際して広がる。
【００３１】
このズームレンズの望遠端における開口絞りＳＰから像面までの距離をＳｂ、広角端におけるレンズ全長（最も物体側のレンズ面から像面までの距離）をＬｗ、レンズ群Ｒｉｍｇの焦点距離をｆｒ広角端における全系の焦点距離をｆｗとする。
【００３２】
このとき、
０．４＜Ｓｂ／Ｌｗ＜３．０          ・・・（１）
−１００．０＜ｆｒ／ｆｗ＜−２．０  ・・・（２）
なる条件を満足する。
【００３３】
条件式（１）、（２）の技術的意味について説明する。条件式（１）は広角端におけるレンズ全長に対する望遠端における開口絞りと像面の距離との比に関する。一般に、ズームレンズにおいては全系の小型化、高ズーム比化を図りつつ、高い光学性能を有し、さらに各レンズ群の位置敏感度を低減させ、組立て性を容易にすることが重要である。このためには、各レンズ群の屈折力を強くしすぎずにズーミングに際して各レンズ群の移動量を増やす必要がある。
【００３４】
特にズームレンズにおける開口絞りの位置は、軸上収差と軸外収差のバランスを取るために重要となってくる。また高ズーム比のズームレンズでは、望遠端における焦点距離が長くなりやすい。同じＦナンバーで比べた場合、焦点距離が長いほどレンズの有効径が大型化しやすい。開口絞り近傍のレンズの有効径は概ね軸上光束によって決まるが、開口絞りから離れたレンズの有効径は開口絞りからの距離によって決まることが多い。したがって、開口絞りの位置はレンズの有効径の大小にとって重要である。
【００３５】
条件式（１）はそのような観点によって表されている。条件式（１）の下限を下回ると、望遠端において、相対的に開口絞りＳＰの位置が像面に寄ることになる。望遠端において開口絞りＳＰが像面に近い位置にあれば、開口絞りＳＰよりも像側に配置されたレンズ群の移動量がその分だけ制限されることになり、移動量を増やして高ズーム比化することは好ましくない。
【００３６】
また開口絞りＳＰが像側によれば、望遠端において軸上収差と軸外収差のバランスが取りづらくなるため好ましくない。さらに、望遠端において、第１レンズ群Ｌ１のレンズ有効径が増加するため好ましくない。逆に条件式（１）の上限を上回ると、開口絞りＳＰよりも像側のレンズ群の移動量は十分確保できる。しかし、望遠端において開口絞りＳＰが物体側によることにより、軸上収差と軸外収差のバランスが取りづらくなるため好ましくない。さらに、最終レンズ群Ｒｉｍｇのレンズ有効径が増加するため好ましくない。
【００３７】
条件式（２）はズームレンズの最も像側に配置されたレンズ群Ｒｉｍｇの焦点距離と、広角端における全系の焦点距離の比に関する。これについて、以下説明する。全系の小型化を図りつつ、高ズーム比化を図るために、各レンズ群のズーミングに際しての移動量を増やすのが良い。しかし、このとき開口絞りＳＰの移動量が大きくなると、広角端から望遠端へのズーミングに際する射出瞳位置の変動が大きくなる。
【００３８】
射出瞳位置の変動が大きくなると、例えば撮像光束の一部を取り出して焦点位置の調整を行う所謂位相差方式ＡＦ（自動焦点検出）との親和性が低下し、ＡＦ精度が低下するため好ましくない。特に望遠側では射出瞳位置が長くなり、位相差方式ＡＦとの親和性が低下しやすい。
【００３９】
そこで、ズームレンズの最も像側に負の屈折力のレンズ群Ｒｉｍｇを配置し、さらに広角端から望遠端へのズーミングに際して開口絞りＳＰとの間隔を広げて、望遠端における射出瞳位置を近づけて位相差方式のＡＦとの親和性を向上させている。
【００４０】
条件式（２）はそのような観点によって規定されている。条件式（２）の下限を下回り、レンズ群Ｒｉｍｇの負の屈折力が弱くなりすぎると（負の屈折力の絶対値が小さくなりすぎると）、射出瞳位置を十分に短くできないため好ましくない。逆に条件式（２）の上限を超えて、レンズ群Ｒｉｍｇの負の屈折力が強くなりすぎると（負の屈折力の絶対値が大きくなりすぎると）、射出瞳位置が短くなりすぎて、位相差方式のＡＦとの親和性が低下する。さらに前玉有効径が大型化するため好ましくない。更に好ましくは、条件式（１）、（２）の数値範囲を次の如く設定するのが良い。
【００４１】
０．５＜Ｓｂ／Ｌｗ＜２．０        ・・・（１ａ）
−８０．０＜ｆｒ／ｆｗ＜−３．０  ・・・（２ａ）
【００４２】
更に好ましくは、条件式（１ａ）（２ａ）の数値範囲を次の如く設定するのが良い。
０．６５＜Ｓｂ／Ｌｗ＜０．９５    ・・・（１ｂ）
−６０．０＜ｆｒ／ｆｗ＜−４．０  ・・・（２ｂ）
【００４３】
以上のように各実施例によれば全系が小型でありながら、高ズーム比で、全ズーム域に渡り良好な光学特性と良好なフォーカシング性能が容易に得られる。
【００４４】
各実施例において更に好ましくは次の条件式のうち１つ以上を満足するのが良い。広角端から望遠端へのズーミングにおける開口絞りＳＰの移動量をＭｓｐとする。望遠端における後群ＬＲの焦点距離をｆｒｇとする。望遠端における開口絞りＳＰとレンズ群Ｒｉｍｇの間に配置されたレンズ群よりなる中間群の合成焦点距離をｆｍｇとする。即ち、望遠端において、前記開口絞りと前記レンズ群Ｒｉｍｇの最も物体側のレンズ面との間に配置された複数のレンズの合成焦点距離をｆｍｇとする。
【００４５】
第１レンズ群Ｌ１の焦点距離をｆ１とする。第２レンズ群Ｌ２の焦点距離をｆ２とする。後群ＬＲに含まれる正の屈折力のレンズ群のうち、最も像側に配置された正の屈折力のレンズ群Ｐｒ１の焦点距離をｆｐｒ１とする。後群ＬＲは２以上の正の屈折力のレンズ群を有し、レンズ群Ｐｒ１より物体側に配置された正の屈折力のレンズ群Ｐｒ２の焦点距離をｆｐｒ２とする。
【００４６】
ここでレンズ群（開口絞りＳＰも同様である）の移動量とは、広角端におけるレンズ群（開口絞りＳＰ）の光軸上の位置と望遠端におけるレンズ群（開口絞りＳＰ）の光軸上の位置の差をいう。移動量の符号は広角端に比べて望遠端においてレンズ群（開口絞りＳＰ）が像側に位置するときを正、物体側に位置するときを負とする。このとき、次の条件式のうち１つ以上を満足するのが良い。
【００４７】
０．６＜Ｍｓｐ／ｆｗ＜１０．０  ・・・（３）
１．０＜ｆｒｇ／ｆｗ＜１０．０  ・・・（４）
１．０＜ｆｍｇ／ｆｗ＜１０．０  ・・・（５）
３．０＜ｆ１／ｆｗ＜１５．０    ・・・（６）
−２．０＜ｆ２／ｆｗ＜−０．５  ・・・（７）
０．８＜ｆｐｒ１／ｆｗ＜５．０  ・・・（８）
０．８＜ｆｐｒ２／ｆｗ＜６．０  ・・・（９）
【００４８】
次に前述の各条件式の技術的意味について説明する。条件式（３）はズーミングにおける開口絞りＳＰの移動量と広角端における全系の焦点距離の比に関する。条件式（３）の下限を下回り、開口絞りＳＰの移動量が小さくなると、その像側に配置されているレンズ群の移動量が制限され、高ズーム比化が困難となる。逆に条件式（３）の上限を上回り、開口絞りＳＰの移動量が大きくなると、望遠端における射出瞳位置が長くなりすぎるため好ましくない。
【００４９】
条件式（４）は開口絞りＳＰよりも像側に配置された後群ＬＲの焦点距離と広角端における全系の焦点距離の比に関する。条件式（４）の下限を下回り、開口絞りＳＰよりも像側に配置されている後群ＬＲの正の屈折力が強くなりすぎると、望遠端における射出瞳位置が遠くなり、さらに位置敏感度が大きくなり、組立て性が低下するため好ましくない。逆に条件式（４）の上限を上回り、開口絞りＳＰよりも像側に配置されている後群ＬＲの正の屈折力が弱くなると、後群ＬＲに含まれるレンズ群の移動による変倍効果が少なくなり、高ズーム比化が困難となる。
【００５０】
条件式（５）は広角端における全系の焦点距離に対する開口絞りＳＰと最も像側に配置されているレンズ群Ｒｉｍｇとの間に配置されているレンズ群より構成される中間群の望遠端における焦点距離との比に関する。条件式（５）の下限を下回り、中間群の正の屈折力が強くなりすぎると、望遠端における射出瞳位置が遠くなり、さらに位置敏感度が大きくなり、組立て性も低下するため好ましくない。逆に条件式（５）の上限を上回り、中間群の正の屈折力が弱くなると、中間群に含まれるレンズ群のズーミングに際しての移動による変倍効果が少なくなり、高ズーム比化が困難となる。
【００５１】
条件式（６）は第１レンズ群Ｌ１の焦点距離と広角端における全系の焦点距離の比に関する。条件式（６）の下限を下回り、第１レンズ群Ｌ１の正の屈折力が相対的に強くなると、全系の小型化は容易になるが、第１レンズ群Ｌ１の位置敏感度が高くなり組立て性が低下するため好ましくない。また全ズーム域に渡って諸収差を良好に補正するのも困難となる。逆に条件式（６）の上限を上回り、第１レンズ群Ｌ１の正の屈折力が相対的に弱くなると、位置敏感度は低下し組立て性は良くなるが、変倍のために要する移動量が大きくなるため好ましくない。
【００５２】
条件式（７）は第２レンズ群Ｌ２の焦点距離と広角端における全系の焦点距離の比に関する。条件式（７）の下限を下回り、第２レンズ群Ｌ２の負の屈折力が相対的に弱くなると、位置敏感度は低下し組立て性は良くなるが、変倍のために要する移動量が大きくなるため好ましくない。逆に条件式（７）の上限を上回り第２レンズ群Ｌ２の負の屈折力が相対的に強くなると、全系の小型化は容易となるが、第２レンズ群Ｌ２の位置敏感度が高くなり組立て性が低下するため好ましくない。また全ズーム域に渡って諸収差を良好に補正するのも困難となる。
【００５３】
条件式（８）は後群ＬＲに含まれるレンズ群のうち最も像側に配置された正の屈折力のレンズ群Ｐｒ１の焦点距離と広角端における全系の焦点距離の比に関する。条件式（８）の下限を下回り、レンズ群Ｒｒ１の正の屈折力が相対的に強くなると、全系の小型化は容易となるが、レンズ群Ｐｒ１の位置敏感度が高くなり組立て性が低下するため好ましくない。また全ズーム域に渡って諸収差を良好に補正するのも困難となる。逆に条件式（８）の上限を上回り、レンズ群Ｒｒ１の正の屈折力が相対的に弱くなると、位置敏感度は低下し組立て性は良くなるが、変倍のために要する移動量が大きくなるため好ましくない。
【００５４】
条件式（９）は後群ＬＲに含まれるレンズ群のうち、レンズ群Ｒｒ１よりも物体側に配置された正の屈折力のレンズ群Ｐｒ２の焦点距離と広角端における全系の焦点距離の比に関する。条件式（９）の下限を下回り、レンズ群Ｐｒ２の正の屈折力が相対的に強くなると、全系の小型化は容易になるが、レンズ群Ｐｒ２の位置敏感度が高くなり組立て性が低下するため好ましくない。
【００５５】
また全ズーム域に渡って諸収差を良好に補正するのも困難となる。逆に条件式（９）の上限を上回り、レンズ群Ｐｒ２の正の屈折力が相対的に弱くなると、位置敏感度は低下し組立て性は良くなるが、変倍のために要する移動量が大きくなるため好ましくない。
【００５６】
更に好ましくは、条件式（３）乃至（９）の数値範囲を次の如く設定するのが良い。
０．８＜Ｍｓｐ／ｆｗ＜５．０    ・・・（３ａ）
１．１＜ｆｒｇ／ｆｗ＜８．０    ・・・（４ａ）
１．２＜ｆｍｇ／ｆｗ＜８．０    ・・・（５ａ）
５．０＜ｆ１／ｆｗ＜１０．０    ・・・（６ａ）
−１．５＜ｆ２／ｆｗ＜−０．６  ・・・（７ａ）
１．０＜ｆｐｒ１／ｆｗ＜４．０  ・・・（８ａ）
１．０＜ｆｐｒ２／ｆｗ＜５．０  ・・・（９ａ）
【００５７】
更に好ましくは、条件式（３ａ）乃至（９ａ）の数値範囲を次の如く設定するのが良い。
１．０＜Ｍｓｐ／ｆｗ＜３．５    ・・・（３ｂ）
１．３＜ｆｒｇ／ｆｗ＜７．０    ・・・（４ｂ）
１．５＜ｆｍｇ／ｆｗ＜７．０    ・・・（５ｂ）
６．０＜ｆ１／ｆｗ＜８．０      ・・・（６ｂ）
−１．０＜ｆ２／ｆｗ＜−０．７  ・・・（７ｂ）
１．４＜ｆｐｒ１／ｆｗ＜３．０  ・・・（８ｂ）
１．１＜ｆｐｒ２／ｆｗ＜４．０  ・・・（９ｂ）
【００５８】
各実施例において、無限遠から近距離へのフォーカシングに際して第２レンズ群Ｌ２は物体側へ移動する。実施例１、２、５、７において、後群ＬＲは、物体側から像側へ順に配置された、正の屈折力の第３レンズ群Ｌ３、正の屈折力の第４レンズ群Ｌ４、負の屈折力の第５レンズ群Ｌ５からなる。実施例３、４、６において、後群ＬＲは、物体側から像側へ順に配置された、正の屈折力の第３レンズ群Ｌ３、負の屈折力の第４レンズ群Ｌ４、正の屈折力の第５レンズ群Ｌ５、負の屈折力の第６レンズ群Ｌ６からなる。
【００５９】
次に各実施例のズームレンズのレンズ構成について説明する。以下に示す数値データは後述する各数値実施例の単位をｍｍで表したときである。このことは以下全て同じである。
【００６０】
［実施例１］
以下、図１を参照して、本発明の実施例１のズームレンズＯＬについて説明する。実施例１は焦点距離１８．４ｍｍ〜２９２．５ｍｍのズームレンズである。ズームレンズＯＬはズーミングに際して、隣り合うレンズ群の間隔が変化する以下の５つのレンズ群を備えている。すなわち物体側から像側へ順に配置された、正の屈折力の第１レンズ群Ｌ１、負の屈折力の第２レンズ群Ｌ２、開口絞りＳＰと一体で（同じ軌跡で）移動する正の屈折力の第３レンズ群Ｌ３を有する。
【００６１】
更に正の屈折力の第４レンズ群Ｌ４、負の屈折力の第５レンズ群Ｌ５より構成されている。後群ＬＲは第３レンズ群Ｌ３乃至第５レンズ群Ｌ５より構成されている。第５レンズ群Ｌ５が負の屈折力のレンズ群Ｒｉｍｇ、第４レンズ群Ｌ４が正の屈折力のレンズ群Ｐｒ１、第３レンズ群Ｌ３が正の屈折力のレンズ群Ｐｒ２に相当する。
【００６２】
本実施例において条件式（１）、（２）で示される値はそれぞれ０．８０、−３７．５である。
【００６３】
実施例１のズームレンズでは、最も像側に負の屈折力でズーミングに際して不動のレンズ群Ｒｉｍｇを配置し、開口絞りＳＰとの間隔を広げている。
【００６４】
その結果、ズームレンズを小型化、及び高ズーム比化し、更に図２からわかるように、全ズーム域に渡って諸収差を良好に補正し、かつ望遠端においてオートフォーカスを高精度に行うために射出瞳位置を適切に保っている。開口絞りＳＰは第３レンズ群Ｌ３に含まれ、かつ第３レンズ群Ｌ３の最も物体側のレンズよりも像側に配置される。
【００６５】
［実施例２］
以下、図３を参照して、本発明の実施例２のズームレンズＯＬについて説明する。実施例２は焦点距離１８．４ｍｍ〜２９２．５ｍｍのズームレンズである。
【００６６】
実施例２においてレンズ群の数、各レンズ群の屈折力の符号、ズーミングにおける各レンズ群の移動条件等のズームタイプは実施例１と同じである。開口絞りＳＰのズーミングにおける移動条件も実施例１と同じである。
【００６７】
本実施例において条件式（１）、（２）で示される値はそれぞれ０．８３、−４４．４である。開口絞りＳＰは第３レンズ群Ｌ３に含まれ、かつ第２レンズ群Ｌ２と第３レンズ群Ｌ３の最も物体側のレンズとの間に配置される。各レンズ群の構成による効果は実施例１と同じである。
【００６８】
［実施例３］
以下、図５を参照して、本発明の実施例３のズームレンズＯＬについて説明する。実施例３は焦点距離１６．０ｍｍ〜２９２．５ｍｍのズームレンズである。ズームレンズＯＬはズーミングに際して隣り合うレンズ群の間隔が変化する以下の６つのレンズ群を備えている。
【００６９】
すなわち物体側から像側へ順に配置された正の屈折力の第１レンズ群Ｌ１、負の屈折力の第２レンズ群Ｌ２、ズーミングに際して独立に（他のレンズ群と異なった軌跡で）移動する開口絞りＳＰ、正の屈折力の第３レンズ群Ｌ３を有する。更に負の屈折力の第４レンズ群Ｌ４、正の屈折力の第５レンズ群Ｌ５、負の屈折力の第６レンズ群Ｌ６より構成されている。後群ＬＲは第３レンズ群Ｌ３乃至第６レンズ群Ｌ６より構成されている。第６レンズ群Ｌ６が負の屈折力のレンズ群Ｒｉｍｇ、第５レンズ群Ｌ５が正の屈折力のレンズ群Ｐｒ１、第３レンズ群Ｌ３が正の屈折力のレンズ群Ｐｒ２に相当している。
【００７０】
本実施例において条件式（１）、（２）で示される値はそれぞれ０．８９、−２８．７である。
【００７１】
実施例３のズームレンズでは、最も像側に負の屈折力でズーミングに際して不動のレンズ群Ｒｉｍｇを配置し、開口絞りＳＰとの間隔を広げている。その結果、ズームレンズを小型化、及び高ズーム比化し、更に図６からわかるように、全ズーム域に渡って諸収差を良好に補正し、かつ望遠端においてオートフォーカスを高精度に行うために射出瞳位置を適切に保っている。開口絞りＳＰは第２レンズ群Ｌ２と第３レンズ群Ｌ３との間に配置される。
【００７２】
［実施例４］
以下、図７を参照して、本発明の実施例４のズームレンズＯＬについて説明する。実施例４は焦点距離１８．４ｍｍ〜２９２．５ｍｍのズームレンズである。実施例４のズームタイプは実施例３と同じである。開口絞りＳＰはズーミングに際して第３レンズ群Ｌ３と一体に移動する。
【００７３】
本実施例において条件式（１）、（２）で示される値はそれぞれ０．７９、−３３．８である。開口絞りＳＰは第３レンズ群Ｌ３に含まれ、かつ第２レンズ群Ｌ２と第３レンズ群Ｌ３の最も物体側のレンズとの間に配置される。各レンズ群の構成による効果は実施例３と同じである。
【００７４】
［実施例５］
以下、図９を参照して、本発明の実施例５のズームレンズＯＬについて説明する。実施例５は焦点距離１８．４ｍｍ〜３５２．５ｍｍのズームレンズである。実施例５のズームタイプは実施例１と同じである。開口絞りＳＰは第３レンズ群Ｌ３と一体で移動する。
【００７５】
本実施例において条件式（１）、（２）で示される値はそれぞれ０．８６、−１５．１である。開口絞りＳＰは第３レンズ群Ｌ３に含まれ、かつ第２レンズ群Ｌ２と第３レンズ群Ｌ３の最も物体側のレンズとの間に配置される。各レンズ群の構成による効果は実施例１と同じである。
【００７６】
［実施例６］
以下、図１１を参照して、本発明の実施例６のズームレンズＯＬについて説明する。実施例６は焦点距離１８．３ｍｍ〜２００．０ｍｍのズームレンズである。実施例６のズームタイプは実施例３と同じである。開口絞りＳＰはズーミングに際して第３レンズ群Ｌ３と一体で移動する。
【００７７】
本実施例において条件式（１）、（２）で示される値はそれぞれ０．６８、−４．３である。開口絞りＳＰは第３レンズ群Ｌ３に含まれ、かつ第２レンズ群Ｌ２と第３レンズ群Ｌ３の最も物体側のレンズとの間に配置される。各レンズ群の構成による効果は実施例３と同じである。
【００７８】
［実施例７］
以下、図１３を参照して、本発明の実施例７のズームレンズＯＬについて説明する。実施例７は焦点距離１８．４ｍｍ〜２９２．５ｍｍのズームレンズである。実施例７のズームタイプは実施例１と同じである。開口絞りＳＰは第２レンズ群Ｌ２と第３レンズ群Ｌ３との間に配置される。開口絞りＳＰはズーミングに際して他のレンズ群とは独立に移動する。
【００７９】
本実施例において条件式（１）、（２）で示される値はそれぞれ０．８３、−５２．８である。
【００８０】
各レンズ群の構成による効果は実施例１と同じである。
【００８１】
次に本発明のズームレンズを用いた撮像装置（一眼レフカメラ）について説明する。
【００８２】
図１５は本発明の一眼レフカメラの構成を示す図である。図１５において、１０は実施例１乃至７のズームレンズ１を有する撮像光学系である。撮像光学系１は保持部材である鏡筒２に保持されている。カメラ本体２０はクイックリターンミラー３、焦点板４、ペンタダハプリズム５、接眼レンズ６等によって構成されている。クイックリターンミラー３は、撮像光学系１０からの光束を上方に反射する。焦点板４は撮像光学系１０の像形成位置に配置されている。ペンタダハプリズム５は焦点板４に形成された逆像を正立像に変換する。観察者は、その正立像を接眼レンズ６を介して観察する。
【００８３】
感光面７には、像を受光するＣＣＤセンサやＣＭＯＳセンサ等の撮像素子（光電変換素子）が配置される。撮影時にはクイックリターンミラー３が光路から退避して、感光面７上に撮像光学系１０によって像側形成される。
【００８４】
このように本発明のズームレンズを一眼レフカメラ交換レンズ等の撮像装置に適用することにより、高い光学性能を有する撮像装置を実現している。この他本発明のズームレンズはクイックリターンミラーのないミラーレンズの一眼レフカメラにも同様に適用することができる。
【００８５】
尚、本発明のズームレンズは、デジタルカメラ・ビデオカメラ・ＴＶカメラ・監視カメラ等の他に望遠鏡、双眼鏡、複写機、プロジェクター等の光学機器にも適用できる。
【００８６】
以上、本発明の好ましい実施形態について説明したが、本発明はこれらの実施形態に限定されず、その要旨の範囲内で種々の変形及び変更が可能である。
【００８７】
以下、実施例１乃至７のズームレンズの具体的な数値データ１乃至７を示す。数値データにおいて、面番号ｉは物体側から順に数えてｉ番目のレンズ面を示している。Ｒは曲率半径(mm)、Ｄｉは第ｉ番目と第ｉ＋１番目の面間隔(mm)である。Ｎｄとνｄはそれぞれｄ線に対する第ｉ面と第（ｉ＋１）面との間の媒質の屈折率、アッベ数を表す。光線有効径も示す。またＢＦはバックフォーカスである。レンズ全長は第１レンズ面から像面までの距離を表す。
【００８８】
また、非球面は面番号の後に、＊の符号を付加して表している。非球面形状は、Ｘを光軸方向の面頂点からの変位量、ｈを光軸と垂直な方向の光軸からの高さ、ｒを近軸曲率半径、Ｋを円錐定数、Ｂ、Ｃ、Ｄ、Ｅ・・・を各次数の非球面係数とするとき、
【００８９】
【数１】
2019133054.tif 000003
で表す。なお、各非球面係数における「Ｅ−ＸＸ」は「×１０−ＸＸ」を意味している。
【００９０】
前述の各条件式に関係したパラメータの数値を表１に示す。表２に前述の各条件式に相当する数値を示す。
【００９１】
[数値データ１]
単位 mm                                    
面番号     R          D         Nd         νd      光線有効径      
1      151.551      1.80      1.91082      35.3      57.18      
2       73.931      7.51      1.49700      81.5      54.72      
3     -568.776      0.15                             54.18      
4       72.523      5.70      1.59282      68.6      52.84      
5      503.085      (可変)                           52.24      
6*      87.075      1.50      1.83220      40.1      29.72      
7*      13.805      7.45                             22.80      
8      -33.733      1.00      1.77250      49.6      22.68      
9     -230.780      0.15                             22.73      
10     113.485      5.77      1.80809      22.8      22.68      
11     -20.714      1.00      1.90043      37.4      22.46      
12     471.518      0.15                             22.27      
13      43.144      1.83      1.74950      35.3      22.21      
14      98.543      (可変)                           21.96      
15      18.997      4.23      1.49700      81.5      20.58      
16     139.194      2.50                             20.33      
17(絞り)   ∞       0.30                             19.97      
18      30.103      1.00      2.00100      29.1      19.64      
19      14.443      3.81      1.66672      48.3      18.49      
20      41.630      0.26                             18.20      
21      19.543      2.50      1.58313      59.4      18.14      
22*     47.569      2.79                             17.62      
23      88.508      2.88      1.95375      32.3      17.01      
24     -31.648      0.90      1.72916      54.7      16.69      
25      30.329      2.08                             15.64      
26     -36.176      0.90      1.72916      54.7      15.59      
27      69.215      (可変)                           15.73      
28*     34.081      2.95      1.58313      59.4      16.31      
29     -43.851      0.15                             16.35      
30     375.488      1.20      2.00069      25.5      16.19      
31      47.879      2.38      1.49700      81.5      16.00      
32     -63.348      (可変)                           15.96      
33     202.105      1.20      1.83481      42.7      21.76      
34      30.999      4.42      1.56732      42.8      21.77      
35    -189.473     35.50                             22.06      
像面      ∞                              
【００９２】
2019133054.tif 000004
【００９３】
2019133054.tif 000005
【００９４】
2019133054.tif 000006
【００９５】
2019133054.tif 000007
【００９６】
[数値データ２]
単位 mm                                    
面番号     R         D        Nd        νd    光線有効径      
1      162.351     1.80     1.91082     35.3     56.55
2       78.349     6.88     1.49700     81.5     53.21
3     -616.519     0.15                          52.99
4       78.608     5.25     1.59282     68.6     51.78
5      660.661     (可変)                        51.23
6*      74.307     1.50     1.83220     40.1     30.40
7*      15.061     7.39                          23.54
8      -36.993     1.00     1.88300     40.8     23.38
9     -141.595     3.87     1.89286     20.4     23.33
10     -30.152     0.65                          23.30
11     -26.271     1.00     1.83481     42.7     22.96
12     821.786     0.15                          23.05
13      52.639     3.04     1.84666     23.9     23.13
14     906.706     (可変)                        22.82
15(絞り）   ∞     0.25                          19.96
16      27.718     4.12     1.49700     81.5     20.92
17  -17723.238     0.15                          20.89
18      23.624     1.00     2.00069     25.5     20.85
19      15.358     5.13     1.58313     59.4     19.79
20*    234.776     0.15                          19.42
21      30.441     1.83     1.56732     42.8     19.06
22      35.160     5.70                          18.45
23     929.324     2.66     1.84666     23.9     17.01
24     -27.181     0.90     1.69680     55.5     16.77
25      34.901     1.76                          15.97
26     -50.146     0.90     1.90043     37.4     15.94
27     225.431     (可変)                        16.10
28*     37.323     3.17     1.58313     59.4     16.60
29     -36.574     0.15                          16.96
30     206.314     1.20     2.00069     25.5     17.15
31      39.369     2.49     1.49700     81.5     17.20
32    -121.204     (可変)                        17.44
33     291.933     1.20     1.83481     42.7     22.30
34      35.535     3.70     1.56732     42.8     22.35
35    -166.881     35.87                         22.55
像面     ∞                    
【００９７】
2019133054.tif 000008
【００９８】
2019133054.tif 000009
【００９９】
2019133054.tif 000010
【０１００】
2019133054.tif 000011
【０１０１】
[数値データ３]
単位 mm                                    
面番号     R        D        Nd        νd    光線有効径      
1     150.747     1.80     1.91082     35.3     55.40
2      71.258     7.02     1.49700     81.5     51.42
3    -518.032     0.15                          50.70
4      69.160     5.21     1.59282     68.6     49.46
5     471.011     (可変)                        48.94
6*    102.905     1.50     1.85135     40.1     27.35
7*     13.409     6.09                          20.66
8     -37.824     1.00     1.78800     47.4     20.48
9     514.527     3.27     1.89286     20.4     20.08
10    -28.297     0.56                          19.87
11    -23.197     1.00     1.95375     32.3     19.63
12    214.759     0.15                          19.57
13     56.473     2.54     1.84666     23.9     19.61
14    -93.947     (可変)                        19.46
15(絞り)   ∞     (可変)                        19.72
16     27.825     2.97     1.49700     81.5     20.64
17    189.299     0.15                          20.67
18     27.978     1.00     2.00069     25.5     20.84
19     16.717     4.84     1.58313     59.4     20.03
20*   533.023     0.15                          19.91
21     34.739     2.00     1.56732     42.8     19.80
22     98.712     (可変)                        19.52
23  -1038.473     3.01     1.84666     23.9     17.98
24    -24.267     0.90     1.69680     55.5     17.77
25     41.743     1.97                          16.94
26    -40.049     0.90     1.90043     37.4     16.92
27    625.430     (可変)                        17.18
28*    41.380     3.80     1.58313     59.4     21.29
29    -43.544     0.15                          21.63
30    334.992     1.20     2.00069     25.5     21.81
31     38.810     4.71     1.49700     81.5     21.87
32    -41.509     (可変)                        22.24
33     80.400     1.20     1.83481     42.7     22.75
34     25.812     3.70     1.56732     42.8     22.47
35    248.403    35.50                          22.54
像面     ∞                    
【０１０２】
2019133054.tif 000012
【０１０３】
2019133054.tif 000013
【０１０４】
2019133054.tif 000014
【０１０５】
2019133054.tif 000015
【０１０６】
[数値データ４]
単位 mm                         
面番号     R         D         Nd        νd    光線有効径
1      162.988     1.80     1.91082     35.3     55.51
2       77.163     6.61     1.49700     81.5     52.00
3     -591.904     0.15                          51.69
4       80.684     5.12     1.59282     68.6     50.78
5      971.407     (可変)                        50.30
6*      62.474     1.50     1.83220     40.1     30.00
7*      16.216     6.81                          22.83
8      -40.716     0.85     1.85150     40.8     22.51
9       38.035     0.15                          21.35
10      31.887     4.24     1.89286     20.4     21.33
11     -63.155     1.78                          20.78
12     -22.863     0.85     1.80400     46.6     20.54
13     -53.766     (可変)                        20.48
14(絞り)    ∞     1.70                          18.50
15      21.603     3.93     1.72916     54.7     20.70
16     257.901     0.15                          20.41
17      26.798     1.00     1.90366     31.3     19.90
18      12.193     7.17     1.58313     59.4     18.25
19*    -99.772     (可変)                        17.62
20    -125.396     0.90     1.83481     42.7     14.22
21      15.125     2.66     1.84666     23.9     14.27
22      51.676     0.94                          14.29
23    -107.048     1.00     1.85135     40.1     14.34
24*     56.533     (可変)                        14.69
25      92.817     2.01     1.58313     59.4     19.31
26*    -84.104     0.15                          19.68
27      90.675     1.20     1.89286     20.4     20.24
28      36.624     5.71     1.49700     81.5     20.53
29     -26.126     (可変)                        21.20
30     -28.434     0.90     1.72916     54.7     21.42
31     -60.132     2.24     1.64769     33.8     22.17
32     -29.907     (可変)                        22.57
像面     ∞                    
【０１０７】
2019133054.tif 000016
【０１０８】
2019133054.tif 000017
【０１０９】
2019133054.tif 000018
【０１１０】
2019133054.tif 000019
【０１１１】
[数値データ５]
単位 mm                         
面番号     R         D         Nd        νd    光線有効径
1      182.434     1.80     1.91082     35.3     57.42
2       86.280     6.90     1.49700     81.5     56.44
3     -625.038     0.15                          56.29
4       83.715     5.32     1.59282     68.6     55.19
5      545.254     (可変)                        54.68
6*      58.375     1.50     1.83220     40.1     30.40
7*      14.577     7.38                          23.44
8      -42.297     1.00     1.88300     40.8     23.28
9     -329.033     2.97     1.89286     20.4     23.10
10     -35.104     0.89                          23.02
11     -26.067     1.00     1.83481     42.7     22.85
12     253.193     0.15                          23.02
13      52.512     2.58     1.84666     23.9     23.21
14    -461.653     (可変)                        23.07
15(絞り)    ∞     0.25                          21.36
16      32.754     4.16     1.49700     81.5     22.38
17    -592.328     0.15                          22.48
18      24.339     1.00     2.00069     25.5     22.63
19      15.983     6.12     1.58313     59.4     21.49
20*   -456.186     7.46                          21.16
21     376.764     3.10     1.84666     23.9     19.01
22     -27.945     0.90     1.69680     55.5     18.77
23      35.104     2.29                          17.82
24     -42.534     0.90     1.90043     37.4     17.81
25     420.112     (可変)                        18.12
26*     40.607     3.50     1.58313     59.4     18.90
27     -39.468     0.15                          19.02
28     596.596     1.20     2.00069     25.5     18.81
29      49.690     3.92     1.49700     81.5     18.91
30     -52.272     (可変)                        19.34
31      86.836     1.20     1.83481     42.7     22.32
32      24.978     3.70     1.56732     42.8     22.03
33     219.589    35.50                          22.11
像面     ∞                    
【０１１２】
2019133054.tif 000020
【０１１３】
2019133054.tif 000021
【０１１４】
2019133054.tif 000022
【０１１５】
2019133054.tif 000023
【０１１６】
[数値データ６]
単位 mm                         
面番号     R         D         Nd        νd   光線有効径
1      149.117     1.80     1.91082     35.3     53.76
2       69.041     7.04     1.49700     81.5     50.09
3     -434.633     0.15                          48.53
4       66.118     4.69     1.59282     68.6     45.51
5      411.501     (可変)                        44.98
6*      80.054     1.50     1.83220     40.1     29.22
7*      15.727     6.49                          22.07
8      -36.372     0.85     1.85150     40.8     21.71
9       41.832     0.15                          20.66
10      32.838     4.05     1.89286     20.4     20.62
11     -58.464     2.14                          20.08
12     -19.050     0.85     1.80400     46.6     19.81
13     -33.768     (可変)                        19.98
14(絞り)    ∞     1.70                          16.75
15      20.249     4.35     1.72916     54.7     17.80
16     301.191     0.15                          17.19
17      27.656     1.00     1.90366     31.3     16.77
18      11.466     5.76     1.58313     59.4     15.61
19*    -74.058     (可変)                        15.22
20    -148.719     0.90     1.83481     42.7     13.57
21      14.289     2.41     1.84666     23.9     13.69
22      36.423     1.33                          13.74
23     -51.314     1.00     1.85135     40.1     13.82
24*   -176.490     (可変)                        14.28
25     -68.348     2.55     1.58313     59.4     19.45
26*    -24.743     0.15                          20.01
27      33.775     1.20     1.89286     20.4     21.09
28      21.163     6.14     1.49700     81.5     20.72
29     -38.492     (可変)                        20.88
30     -28.914     0.90     1.72916     54.7     20.80
31      73.505     4.10     1.64769     33.8     21.64
32     -51.343     (可変)                        22.17
像面     ∞                    
【０１１７】
2019133054.tif 000024
【０１１８】
2019133054.tif 000025
【０１１９】
2019133054.tif 000026
【０１２０】
2019133054.tif 000027
【０１２１】
[数値データ７]
単位 mm                         
面番号     R         D         Nd        νd     光線有効径
1      153.497     1.80     1.91082     35.3     54.18
2       75.327     6.60     1.49700     81.5     51.47
3     -785.648     0.15                          51.25
4       77.629     5.13     1.59282     68.6     50.14
5      771.955     (可変)                        49.59
6*      91.105     1.50     1.83220     40.1     28.85
7*      15.814     6.34                          22.43
8      -41.202     1.00     1.88300     40.8     22.22
9      -99.998     3.49     1.89286     20.4     21.93
10     -29.131     0.94                          21.64
11     -21.824     1.00     1.83481     42.7     21.31
12     404.826     0.15                          21.31
13      61.101     2.38     1.84666     23.9     21.35
14    -175.380     (可変)                        21.20
15(絞り)    ∞     (可変)                        19.58
16      27.305     4.05     1.49700     81.5     20.41
17     341.361     0.15                          20.40
18      26.640     1.00     2.00069     25.5     20.44
19      16.350     4.92     1.58313     59.4     19.56
20*    648.009     0.15                          19.32
21      33.640     2.00     1.56732     42.8     19.07
22      60.108     5.70                          18.64
23   -1742.938     2.64     1.84666     23.9     17.01
24     -26.452     0.90     1.69680     55.5     16.79
25      35.516     1.78                          15.99
26     -47.818     0.90     1.90043     37.4     15.97
27     454.954     (可変)                        16.14
28*     43.892     3.69     1.58313     59.4     20.02
29     -38.094     0.15                          20.37
30     202.510     1.20     2.00069     25.5     20.53
31      39.286     3.37     1.49700     81.5     20.51
32     -83.447     (可変)                        20.74
33     167.024     1.20     1.83481     42.7     22.65
34      33.628     3.70     1.56732     42.8     22.62
35    -299.487    35.50                          22.78
像面     ∞                    
【０１２２】
2019133054.tif 000028
【０１２３】
2019133054.tif 000029
【０１２４】
2019133054.tif 000030
【０１２５】
2019133054.tif 000031
【０１２６】
【表１】
2019133054.tif 000032
【０１２７】
【表２】
2019133054.tif 000033
【符号の説明】
【０１２８】
ＯＬ  ズームレンズ      ＬＲ  後群      Ｌ１  第１レンズ群
Ｌ２  第２レンズ群      Ｒｉｍｇ  負の屈折力のレンズ群
ＳＰ  開口絞り
【図１】
2019133054.tif 000034
【図２】
2019133054.tif 000035
【図３】
2019133054.tif 000036
【図４】
2019133054.tif 000037
【図５】
2019133054.tif 000038
【図６】
2019133054.tif 000039
【図７】
2019133054.tif 000040
【図８】
2019133054.tif 000041
【図９】
2019133054.tif 000042
【図１０】
2019133054.tif 000043
【図１１】
2019133054.tif 000044
【図１２】
2019133054.tif 000045
【図１３】
2019133054.tif 000046
【図１４】
2019133054.tif 000047
【図１５】
2019133054.tif 000048